(57)【特許請求の範囲】
【請求項１】
全体形状が円筒型をなし内部に擬似装薬(4)を有する擬製装薬筒片(1a)を所定の長さとした訓練用発射装薬において、前記擬製装薬筒片(1a)のケース(3)は、樹脂成形品よりなると共に外周に段部(3A)を有する第１筒体(3e)と前記第１筒体(3e)の内側に設けられ前記第１筒体(3e)よりは小径の第２筒体(3f)とからなり、前記第１筒体(3e)は前記第１筒体(3e)と一体でかつ二重筒状に内側に形成された内筒部(3Aa)を有し、前記第２筒体(3f)はその外周に形成された外周曲部(3M)及びその内周に形成された内周曲部(3N)を有し、前記第２筒体(3f)の前記外周曲部(3M)は前記第１筒体(3e)の外端(3K)に接続され、前記内周曲部(3N)は前記内筒部(3Aa)の内端(3L)に接続されていることを特徴とする訓練用発射装薬。
【発明の詳細な説明】
【０００１】
【発明の属する技術分野】
本発明は、訓練用発射装薬に関し、特に、単体又は軸方向に沿って互いに連結する各擬製装薬筒片のケースを樹脂成形品とすることにより、反覆使用可能回数を従来よりも大幅に増加させ、正確な機能確認を行うことができるようにするための新規な改良に関する。
【０００２】
【従来の技術】
従来、用いられていたこの種の訓練用発射装薬としては、図４から図８で示される構成が採用されていた。
すなわち、図２で示される構成は、全体形状が円柱型をなす６個の擬製装薬筒片１ａ〜１ｆからなる訓練用発射装薬１であり、各擬製装薬筒片１ａ〜１ｆは中心軸位置に中空部２が形成されている。
前記各擬製装薬筒片１ａ〜１ｆのケース３は、ニトロセルロース（パルプ）等からなる柔軟材料で構成されており、このケース３内には擬似装薬４が内蔵されていると共に、このケース３の外表面には塗料等のコーティング面３ａが形成されている。
前記各擬製装薬筒片１ａ〜１ｆの一端に形成された突部３Ａは他端に形成された凹部３Ｂ内に強嵌合され、その摩擦力によって互いに結合されている。以上のように構成された訓練用発射装薬１は、図６で示される砲１０の装填部１１に装填されるように構成されている。なお、擬製装薬筒片は単体の場合もあった。
【０００３】
【発明が解決しようとする課題】
従来の訓練用発射装薬は、以上のように構成されていたため、次のような課題が存在していた。すなわち、各擬製装薬筒片がパルプ等のケースで構成されていたため、図６で示されるように、各結合部の摩耗によりガタが発生し、全体として変形することがあった。また、各結合部の結合力が低下し、使用中に分離することもあった。
また、単体又は各擬製装薬筒片の表面の塗装が装填部の機械部分と摺れて剥がれ、その部分が吸湿することによってその強度が低下することがあった。
また、図７で示されるように、擬製発射装薬が曲がりやすく、装填部への装填が困難となることもあった。
【０００４】
本発明は、以上のような課題を解決するためになされたもので、特に、単体又は軸方向に沿って互いに連結する各擬製装薬筒片のケースを樹脂成形品とすることにより反覆使用回数を従来よりも大幅に増加させ、正確な機能確認を行うことができるようにした訓練用発射装薬を提供することを目的とする。
【０００５】
【課題を解決するための手段】
本発明による訓練用発射装薬は、全体形状が円筒型をなし内部に擬似装薬を有する擬製装薬筒片を所定の長さとした訓練用発射装薬において、前記擬製装薬筒片のケースは、樹脂成形品よりなると共に外周に段部を有する第１筒体と前記第１筒体の内側に設けられ前記第１筒体よりは小径の第２筒体とからなり、前記第１筒体は前記第１筒体と一体でかつ二重筒状に内側に形成された内筒部を有し、前記第２筒体はその外周に形成された外周曲部及びその内周に形成された内周曲部を有し、前記第２筒体の前記外周曲部は前記第１筒体の外端に接続され、前記内周曲部は前記内筒部の内端に接続されている構成である。
【０００６】
【発明の実施の形態】
以下、図面と共に本発明による訓練用発射装薬の好適な実施の形態について説明する。なお、従来例と同一又は同等部分には同一符号を用いて説明する。
図１において符号１で示されるものは訓練用発射装薬であり、この訓練用発射装薬１は全体形状が円筒型をなす６個（１個又は何個でも可）の擬製装薬筒片１ａ〜１ｆから構成されていると共に、各擬製装薬筒片１ａ〜１ｆは中心軸位置に中空部２が形成されている。
前記各擬製装薬筒片１ａ〜１ｆのケース３は、軸方向に所定の長さを有すると共に、合成樹脂からなる樹脂材料によって射出成形されており、この樹脂材料は比較的に柔らかい柔軟性のある材料（例えば、ポリプロピレン）にて構成されている。
【０００７】
前記各ケース３内には、擬似装薬４が内蔵されていると共に、このケース３の一端に形成された段部３Ａは他端に形成された凹部３Ｂ内に強嵌合され、その段部３Ａと凹部３Ｂとによる強嵌合によって結合されている。
【０００８】
また、各擬製装薬筒片１ａ〜１ｆのケース３が、樹脂成形され段部３Ａ及び中空部２を有する第１筒体３ｅと、樹脂成形されてこの第１筒体３ｅの内側に設けられ、第１筒体３ｅよりも小径の第２筒体３ｆとからなり、第１筒体３ｅの端部に第２筒体３ｆが接続されるように結合され、中空部２が第１筒体３ｅの内筒部３Ａａで構成されている。
従って、前述の図１の形態においては、第１筒体３ｅの先端に形成された段部３Ａが第２筒体３ｆに形成された凹部３Ｂに強嵌合することによって、各擬製装薬筒片１ａ〜１ｆが軸方向に互いに連結されるように構成されている。
【０００９】
従って、前記第１筒体３ｅは前記第１筒体３ｅと一体でかつ二重筒状に内側に形成された内筒部３Ａａを有し、前記第２筒体３ｆはその外周に形成された外周曲部３Ｍ及びその内周に形成された内周曲部３Ｎを有し、前記第２筒体３ｆの前記外周曲部３Ｍは前記第１筒体３ｅの外端３Ｋに接続され、前記内周曲部３Ｎは前記内筒部３Ａａの内端３Ｌに接続されている。
【００１０】
【発明の効果】
本発明による訓練用発射装薬は、以上のように構成されているため、次のような効果を得ることができる。すなわち、単体又は各擬製装薬筒片のケースが樹脂で形成されているため、従来のパルプによる擬似発射装薬に比べると、使用可能回数が１０倍以上となり、ランニングコストを大幅に低減することができる。
また、各擬製装薬筒片同志の結合力の低下が殆んどなく安定するため、正確な機能確認が実施でき、不良分離による機能確認の中断、変形による火砲の作動停止等の発生を防止することができる。
【図面の簡単な説明】
【図１】本発明による訓練用発射装薬を示す断面図である。
【図２】従来の訓練用発射装薬を示す斜視図である。
【図３】図２の断面図である。
【図４】図２の訓練用発射装薬の曲げた状態を示す構成図である。
【図５】図４の訓練用発射装薬と装填部との関係を示す構成図である。
【図６】砲の装填部を示す斜視図である。
【符号の説明】
１ａ〜１ｆ    擬製装薬筒片
３    ケース
３Ａ    段部
３ｅ    第１筒体
３ｆ    第２筒体
３Ａａ    内筒部
３Ｍ    外周曲部
３Ｋ    外端
３Ｎ    内周曲部
３Ｌ    内端
３０    中間筒体
【図１】
0003563992.tif 000002
【図２】
0003563992.tif 000003
【図３】
0003563992.tif 000004
【図４】
0003563992.tif 000005
【図５】
0003563992.tif 000006
【図６】
0003563992.tif 000007